(57)【要約】      （修正有）【課題】設備工事の現場で、設備の情報が容易に取得できる設備情報処理装置を提供する。【解決手段】１以上の設備を含む設備図面を格納する設備図面格納部１１１と、設備を識別する設備識別子と、設備識別子により識別される設備に関する情報である設備情報との組を、１組以上格納する設備情報格納部１１２と、設備図面格納部１１１に格納されている設備図面を、端末装置に送信する設備図面送信部１４１と、設備図面に含まれる設備に対する指示である設備指示を端末装置から受信する指示受信部１２１と、設備指示に対する設備の設備情報を、設備情報格納部１１２から取得する設備情報取得部１３１と、設備情報を端末装置に送信する設備情報送信部１４２とを具備する。【選択図】図３
2016110529.tif 000002
【特許請求の範囲】
【請求項１】
１以上の設備を含む設備図面を格納し得る設備図面格納部と、
設備を識別する設備識別子と、当該設備識別子により識別される設備に関する情報である設備情報との組を、１組以上格納し得る設備情報格納部と、
前記設備図面格納部に格納されている設備図面を、端末装置に送信する設備図面送信部と、
前記設備図面送信部が送信した設備図面に含まれる設備に対する指示である設備指示を前記端末装置から受信する指示受信部と、
前記指示受信部が受信した設備指示に対する設備の設備情報を、前記設備情報格納部から取得する設備情報取得部と、
前記設備情報取得部が取得した設備情報を前記端末装置に送信する設備情報送信部とを具備する設備情報処理装置。
【請求項２】
前記設備図面格納部は、
設備図面を格納し得る設備図面格納手段と、
設備識別子、当該設備識別子の設備図面上での領域を示す領域情報を有する１以上の設備ボタンを前記設備図面に対応付けて格納し得る設備ボタン格納手段とを具備し、
前記指示受信部が受信した設備指示に対する設備を識別する設備識別子と対になる領域情報を取得し、当該領域情報に関する情報である領域関連情報を前記端末装置に送信する領域関連情報送信部をさらに具備する請求項１記載の設備情報処理装置。
【請求項３】
前記設備情報は、
当該設備情報に対応する設備のメンテナンスの履歴情報を含む請求項１または請求項２記載の設備情報処理装置。
【請求項４】
前記設備情報送信部は、
前記設備のメンテナンスの履歴情報に対応付けて、当該設備のメンテナンスの履歴情報を削除するための削除ボタンを前記端末装置で表示するための削除ボタン情報をも送信する請求項３記載の設備情報処理装置。
【請求項５】
前記端末装置からキーワードを受信するキーワード受信部と、
前記キーワードを用いて、前記設備情報格納部を検索し、当該検索に合致した設備情報に対する１以上の設備を、前記端末装置に出力されている設備図面上において、視覚的に認識可能とする情報である１以上の設備特定情報を取得する検索部と、
前記検索部が取得した１以上の設備特定情報を前記端末装置に送信する設備特定情報送信部とをさらに具備する請求項１から請求項４いずれか一項に記載の設備情報処理装置。
【請求項６】
前記設備情報は、
設備の消耗期限に関する情報である消耗期限情報を含み得、
消耗品の一覧を出力する指示である消耗品指示を前記端末装置から受信する消耗品指示受信部と、
前記消耗品指示に応じて、消耗期限情報を含む２以上の設備情報を検索し、かつ消耗期限情報が示す消耗期限が近い順に２以上の設備情報をソートする消耗品取得部と、
前記消耗品取得部が取得した２以上の設備情報を前記端末装置に送信する消耗品情報送信部とをさらに具備する請求項１から請求項５いずれか一項に記載の設備情報処理装置。
【請求項７】
前記設備図面格納部は、
ユーザを識別するユーザ識別子に対応付けて、１以上の設備図面を格納しており、
前記ユーザ識別子で識別されるユーザごとに、前記ユーザ識別子と対になる設備図面の数を取得し、当該設備図面の数に応じた課金額を算出する課金額算出部と、
前記課金額算出部が算出した課金額を用いて、前記ユーザ識別子で識別されるユーザごとに課金処理を行う課金処理部とをさらに具備する請求項１から請求項６いずれか一項に記載の設備情報処理装置。
【請求項８】
１以上の設備図面を格納し得る設備図面格納部と、
設備図面を識別する図面識別子と、設備を識別する設備識別子と、当該設備識別子により識別される設備に関する情報である設備情報との組を、１組以上格納し得る設備情報格納部と、
一の設備図面の出力の指示である設備図面出力指示を受け付ける設備図面出力指示受付部と、
前記設備図面出力指示に対応する一の設備図面を前記設備図面格納部から取得し、当該一の設備図面を出力する設備図面出力部と、
前記設備図面出力部が出力した設備図面に対して、設備の領域を示す設備領域指示を受け付ける設備領域指示受付部と、
前記設備領域指示受付部が受け付けた設備領域指示に対応する設備を識別する設備識別子を生成する設備識別子生成部と、
前記設備領域指示受付部が受け付けた設備領域指示に対応する領域を示す領域情報を取得する設備領域情報取得部と、
前記設備識別子生成部が生成した設備識別子と、前記設備領域情報取得部が取得した領域情報を有する設備情報とを、前記設備情報格納部に蓄積する設備情報蓄積部とを具備する設備情報データベース構築装置。
【請求項９】
前記設備領域指示受付部が設備領域指示を受け付けたことに応じて、前記設備識別子生成部が生成した設備識別子で識別される設備情報の一部または全部を入力する画面を出力する設備情報入力画面出力部と、
前記設備情報の一部または全部を入力する画面に対して、設備情報の一部または全部の入力を受け付ける設備情報入力受付部とをさらに具備し、
前記設備情報蓄積部は、
前記設備情報入力受付部が受け付けた設備情報の一部または全部を、前記設備識別子生成部が生成した設備識別子と対にして、前記設備情報格納部に蓄積する請求項８記載の設備情報データベース構築装置。
【請求項１０】
前記設備領域指示受付部が設備領域指示を受け付けたことに応じて、前記設備情報格納部に、前記設備領域指示に対応する設備の設備情報を格納する領域を生成する設備情報領域生成部をさらに具備する請求項８または請求項９記載の設備情報データベース構築装置。
【請求項１１】
記録媒体は、
１以上の設備を含む設備図面を格納し得る設備図面格納部と、
設備を識別する設備識別子と、当該設備識別子により識別される設備に関する情報である設備情報との組を、１組以上格納し得る設備情報格納部とを具備し、
設備図面送信部、指示受信部、設備情報取得部、および設備情報送信部により実現される設備情報処理方法であって、
前記設備図面送信部が、前記設備図面格納部に格納されている設備図面を、端末装置に送信する設備図面送信ステップと、
前記指示受信部が、前記設備図面送信ステップで送信された設備図面に含まれる設備に対する指示である設備指示を前記端末装置から受信する指示受信ステップと、
前記設備情報取得部が、前記指示受信ステップで受信された設備指示に対する設備の設備情報を、前記設備情報格納部から取得する設備情報取得ステップと、
前記設備情報送信部が、前記設備情報取得ステップで取得された設備情報を前記端末装置に送信する設備情報送信ステップとを具備する設備情報処理方法。
【請求項１２】
コンピュータアクセス可能な記録媒体は、
１以上の設備を含む設備図面を格納し得る設備図面格納部と、
設備を識別する設備識別子と、当該設備識別子により識別される設備に関する情報である設備情報との組を、１組以上格納し得る設備情報格納部とを具備し、
コンピュータを、
前記設備図面格納部に格納されている設備図面を、端末装置に送信する設備図面送信部と、
前記設備図面送信部が送信した設備図面に含まれる設備に対する指示である設備指示を前記端末装置から受信する指示受信部と、
前記指示受信部が受信した設備指示に対する設備の設備情報を、前記設備情報格納部から取得する設備情報取得部と、
前記設備情報取得部が取得した設備情報を前記端末装置に送信する設備情報送信部として機能させるためのプログラム。
【請求項１３】
記録媒体は、
１以上の設備図面を格納し得る設備図面格納部と、
設備図面を識別する図面識別子と、設備を識別する設備識別子と、当該設備識別子により識別される設備に関する情報である設備情報との組を、１組以上格納し得る設備情報格納部とを具備し、
設備図面出力指示受付部、設備図面出力部、設備領域指示受付部、および設備識別子生成部により実現される設備情報データベース構築方法であって、
前記設備図面出力指示受付部が、一の設備図面の出力の指示である設備図面出力指示を受け付ける設備図面出力指示受付ステップと、
前記設備図面出力部が、前記設備図面出力指示に対応する一の設備図面を前記設備図面格納部から取得し、当該一の設備図面を出力する設備図面出力ステップと、
前記設備領域指示受付部が、前記設備図面出力ステップで出力された設備図面に対して、設備の領域を示す設備領域指示を受け付ける設備領域指示受付ステップと、
前記設備識別子生成部が、前記設備領域指示受付ステップで受け付けられた設備領域指示に対応する設備を識別する設備識別子を生成する設備識別子生成ステップとを具備する設備情報データベース構築方法。
【請求項１４】
コンピュータアクセス可能な記録媒体は、
１以上の設備図面を格納し得る設備図面格納部と、
設備図面を識別する図面識別子と、設備を識別する設備識別子と、当該設備識別子により識別される設備に関する情報である設備情報との組を、１組以上格納し得る設備情報格納部とを具備し、
コンピュータを、
一の設備図面の出力の指示である設備図面出力指示を受け付ける設備図面出力指示受付部と、
前記設備図面出力指示に対応する一の設備図面を前記設備図面格納部から取得し、当該一の設備図面を出力する設備図面出力部と、
前記設備図面出力部が出力した設備図面に対して、設備の領域を示す設備領域指示を受け付ける設備領域指示受付部と、
前記設備領域指示受付部が受け付けた設備領域指示に対応する設備を識別する設備識別子を生成する設備識別子生成部と、
前記設備領域指示受付部が受け付けた設備領域指示に対応する領域を示す領域情報を取得する設備領域情報取得部と、
前記設備識別子生成部が生成した設備識別子と、前記設備領域情報取得部が取得した領域情報を有する設備情報とを、前記設備情報格納部に蓄積する設備情報蓄積部として機能させるためのプログラム。
【発明の詳細な説明】
【技術分野】
【０００１】
本発明は、設備の情報である１以上の設備情報を処理する設備情報処理装置等に関するものである。
【背景技術】
【０００２】
従来、設備図面を保存したり、閲覧したりできるＣＡＤシステムが存在した（例えば、特許文献１参照）。
【先行技術文献】
【非特許文献】
【０００３】
【非特許文献１】"空調・換気設備関係／施工図・設計図 CADデータ"、［平成２６年１１月２２日検索］、インターネット［URL：http://www.geocities.jp/eikattpa83/detail/air-conditioner-cad.html］
【発明の概要】
【発明が解決しようとする課題】
【０００４】
しかしながら、従来技術においては、例えば、建築物等の竣工後、設備の現場において、メンテナンス等が必要になった場合などに、設備の最新の情報が取得できなかった。
【０００５】
また、従来技術においては、設備図面と一緒に、設備の情報を閲覧することができなかった。
【課題を解決するための手段】
【０００６】
本第一の発明の設備情報処理装置は、１以上の設備を含む設備図面を格納し得る設備図面格納部と、設備を識別する設備識別子と、設備識別子により識別される設備に関する情報である設備情報との組を、１組以上格納し得る設備情報格納部と、設備図面格納部に格納されている設備図面を、端末装置に送信する設備図面送信部と、設備図面送信部が送信した設備図面に含まれる設備に対する指示である設備指示を端末装置から受信する指示受信部と、指示受信部が受信した設備指示に対する設備の設備情報を、設備情報格納部から取得する設備情報取得部と、設備情報取得部が取得した設備情報を端末装置に送信する設備情報送信部とを具備する設備情報処理装置である。
【０００７】
かかる構成により、設備の現場において、設備の最新の情報が容易に取得できる。
【０００８】
また、本第二の発明の設備情報処理装置は、第一の発明に対して、設備図面格納部は、設備図面を格納し得る設備図面格納手段と、設備識別子、設備識別子の設備図面上での領域を示す領域情報を有する１以上の設備ボタンを設備図面に対応付けて格納し得る設備ボタン格納手段とを具備し、指示受信部が受信した設備指示に対する設備を識別する設備識別子と対になる領域情報を取得し、領域情報に関する情報である領域関連情報を端末装置に送信する領域関連情報送信部をさらに具備する設備情報処理装置である。
【０００９】
かかる構成により、
設備の現場において、設備の最新の情報が容易に取得できる。
【００１０】
また、本第三の発明の設備情報処理装置は、第一または第二の発明に対して、設備情報は、設備情報に対応する設備のメンテナンスの履歴情報を含む設備情報処理装置である。
【００１１】
かかる構成により、設備の現場において、設備の最新の詳細な情報が容易に取得できる。
【００１２】
また、本第四の発明の設備情報処理装置は、第三の発明に対して、設備情報送信部は、設備のメンテナンスの履歴情報に対応付けて、設備のメンテナンスの履歴情報を削除するための削除ボタンを端末装置で表示するための削除ボタン情報をも送信する設備情報処理装置である。
【００１３】
かかる構成により、設備の現場で、設備の詳細な情報を容易にメンテナンスできる。
【００１４】
また、本第五の発明の設備情報処理装置は、第一から第四いずれか１つの発明に対して、端末装置からキーワードを受信するキーワード受信部と、キーワードを用いて、設備情報格納部を検索し、検索に合致した設備情報に対する１以上の設備を、端末装置に出力されている設備図面上において、視覚的に認識可能とする情報である１以上の設備特定情報を取得する検索部と、検索部が取得した１以上の設備特定情報を端末装置に送信する設備特定情報送信部とをさらに具備する設備情報処理装置である。
【００１５】
かかる構成により、設備の現場で、設備の最新の情報を極めて容易に取得できる。
【００１６】
また、本第六の発明の設備情報処理装置は、第一から第五いずれか１つの発明に対して、設備情報は、設備の消耗期限に関する情報である消耗期限情報を含み得、消耗品の一覧を出力する指示である消耗品指示を端末装置から受信する消耗品指示受信部と、消耗品指示に応じて、消耗期限情報を含む２以上の設備情報を検索し、かつ消耗期限情報が示す消耗期限が近い順に２以上の設備情報をソートする消耗品取得部と、消耗品取得部が取得した２以上の設備情報を端末装置に送信する消耗品情報送信部とをさらに具備する設備情報処理装置である。
【００１７】
かかる構成により、設備の現場で、消耗品の情報が容易に取得でき、メンテナンス等の作業を促進できる。
【００１８】
また、本第七の発明の設備情報処理装置は、第一から第六いずれか１つの発明に対して、設備図面格納部は、ユーザを識別するユーザ識別子に対応付けて、１以上の設備図面を格納しており、ユーザ識別子で識別されるユーザごとに、ユーザ識別子と対になる設備図面の数を取得し、設備図面の数に応じた課金額を算出する課金額算出部と、課金額算出部が算出した課金額を用いて、ユーザ識別子で識別されるユーザごとに課金処理を行う課金処理部とをさらに具備する設備情報処理装置である。
【００１９】
かかる構成により、システム利用者に対して、適切な課金が可能となる。
【００２０】
また、本第八の発明の設備情報データベース構築装置は１以上の設備図面を格納し得る設備図面格納部と、設備図面を識別する図面識別子と、設備を識別する設備識別子と、設備識別子により識別される設備に関する情報である設備情報との組を、１組以上格納し得る設備情報格納部と、一の設備図面の出力の指示である設備図面出力指示を受け付ける設備図面出力指示受付部と、設備図面出力指示に対応する一の設備図面を設備図面格納部から取得し、一の設備図面を出力する設備図面出力部と、設備図面出力部が出力した設備図面に対して、設備の領域を示す設備領域指示を受け付ける設備領域指示受付部と、設備領域指示受付部が受け付けた設備領域指示に対応する設備を識別する設備識別子を生成する設備識別子生成部と、設備領域指示受付部が受け付けた設備領域指示に対応する領域を示す領域情報を取得する設備領域情報取得部と、設備識別子生成部が生成した設備識別子と、設備領域情報取得部が取得した領域情報を有する設備情報とを、設備情報格納部に蓄積する設備情報蓄積部とを具備する設備情報データベース構築装置である。
【００２１】
かかる構成により、設備情報データベースを容易に構築できる。
【００２２】
また、本第九の発明の設備情報データベース構築装置は、第八の発明に対して、設備領域指示受付部が設備領域指示を受け付けたことに応じて、設備識別子生成部が生成した設備識別子で識別される設備情報の一部または全部を入力する画面を出力する設備情報入力画面出力部と、設備情報の一部または全部を入力する画面に対して、設備情報の一部または全部の入力を受け付ける設備情報入力受付部とをさらに具備し、設備情報蓄積部は、設備情報入力受付部が受け付けた設備情報の一部または全部を、設備識別子生成部が生成した設備識別子と対にして、設備情報格納部に蓄積する設備情報データベース構築装置である。
【００２３】
かかる構成により、設備情報データベースを容易に構築できる。
【００２４】
また、本第十の発明の設備情報データベース構築装置は、第八または第九の発明に対して、設備領域指示受付部が設備領域指示を受け付けたことに応じて、設備情報格納部に、設備領域指示に対応する設備の設備情報を格納する領域を生成する設備情報領域生成部をさらに具備する設備情報データベース構築装置である。
【００２５】
かかる構成により、設備情報データベースを容易に構築できる。
【発明の効果】
【００２６】
本発明による設備情報処理装置によれば、設備の現場で、設備の情報が容易に取得できる。
【図面の簡単な説明】
【００２７】
【図１】実施の形態１における設備情報処理システムＡの概念図
【図２】同設備情報処理システムＡのブロック図
【図３】同設備情報処理システムＡを構成する設備情報処理装置１のブロック図
【図４】同設備情報処理装置１の動作について説明するフローチャート
【図５】同端末装置２の動作について説明するフローチャート
【図６】同ユーザ情報管理表を示す図
【図７】同設備図面を示す図
【図８】同設備ボタン管理表を示す図
【図９】同設備情報管理表を示す図
【図１０】同出力例を示す図
【図１１】同出力例を示す図
【図１２】同入力画面例を示す図
【図１３】同出力例を示す図
【図１４】実施の形態２における設備情報データベース構築装置３のブロック図
【図１５】同設備情報データベース構築装置３の動作を説明するフローチャート
【図１６】同入力画面例を示す図
【図１７】同設備情報入力画面の例を示す図
【図１８】同入力後の画面例を示す図
【図１９】上記実施の形態におけるコンピュータシステムの概観図
【図２０】同コンピュータシステムのブロック図
【発明を実施するための形態】
【００２８】
以下、設備情報処理装置等の実施形態について図面を参照して説明する。なお、実施の形態において同じ符号を付した構成要素は同様の動作を行うので、再度の説明を省略する場合がある。
【００２９】
（実施の形態１）
本実施の形態において、１以上の設備を含む設備図面と、指定された一の設備の情報とを同じ画面に出力する設備情報処理システムについて説明する。
【００３０】
また、本実施の形態において、設備のメンテナンスの履歴情報を入力し、閲覧できる設備情報処理システムについて説明する。
【００３１】
また、本実施の形態において、履歴情報に対して、削除ボタンが付加される設備情報処理システムについて説明する。
【００３２】
また、本実施の形態において、キーワードの入力により、対応する設備が図面上で、他の設備と区別する態様で表示される設備情報処理システムについて説明する。
【００３３】
また、本実施の形態において、消耗品の一覧を出力する場合、期限がくる順に消耗品の設備情報が出力される設備情報処理システムについて説明する。
【００３４】
また、本実施の形態において、設備のメンテナンスの履歴情報に対応付けて、当該設備のメンテナンスの履歴情報を削除するための削除ボタンが付加されている画面を出力できる設備情報処理システムについて説明する。そして、ユーザは、削除ボタンを押下することにより、不要となった履歴情報を容易に削除できる結果、設備情報のメンテナンスが容易になる。
【００３５】
さらに、本実施の形態において、図面数をパラメータとして、システム使用料金が算出される設備情報処理システムについて説明する。
【００３６】
図１は、本実施の形態における設備情報処理システムＡの概念図である。設備情報処理システムＡは、設備情報処理装置１、および１または２以上の端末装置２を備える。設備情報処理装置１は、例えば、いわゆるサーバ装置である。設備情報処理装置１は、いわゆるクラウドサーバでも良い。端末装置２は、ユーザが使用する端末であり、例えば、いわゆるパーソナルコンピュータ、タブレット端末、スマートフォン、携帯電話等である。なお、設備情報処理装置１および端末装置２の装置の種類は問わない。
【００３７】
図２は、本実施の形態における設備情報処理システムＡのブロック図である。図３は、設備情報処理システムＡを構成する設備情報処理装置１のブロック図である。
【００３８】
設備情報処理装置１は、格納部１１、受信部１２、処理部１３、送信部１４を備える。
【００３９】
格納部１１は、設備図面格納部１１１、設備情報格納部１１２を備える。
【００４０】
設備図面格納部１１１は、設備図面格納手段１１１１、設備ボタン格納手段１１１２を備える。
【００４１】
受信部１２は、指示受信部１２１、キーワード受信部１２２、消耗品指示受信部１２３を備える。
【００４２】
処理部１３は、設備情報取得部１３１、検索部１３２、消耗品取得部１３３、課金額算出部１３４、課金処理部１３５を備える。
【００４３】
送信部１４は、設備図面送信部１４１、設備情報送信部１４２、領域関連情報送信部１４３、設備特定情報送信部１４４、消耗品情報送信部１４５を備える。
【００４４】
端末装置２は、端末格納部２１、端末受付部２２、端末処理部２３、端末送信部２４、端末受信部２５、端末出力部２６を備える。
【００４５】
設備情報処理装置１を構成する格納部１１は、各種の情報を格納し得る。各種の情報とは、例えば、後述する設備図面、設備情報、設備ボタン等である。
【００４６】
設備図面格納部１１１は、１または２以上の設備図面を格納し得る。設備図面は、１以上の設備を含む。設備図面は、設備を示す１以上の設備の図柄を含む。端末装置２に出力されている設備図面上の設備は、ユーザによる指示が可能である。
【００４７】
設備図面格納部１１１は、ユーザを識別するユーザ識別子に対応付けて、１以上の設備図面を格納していることは好適である。ユーザ識別子は、例えば、ユーザＩＤ、電話番号、メールアドレス等である。
【００４８】
設備図面格納手段１１１１は、１または２以上の設備図面を格納し得る。
【００４９】
設備ボタン格納手段１１１２は、１以上の設備ボタンを設備図面に対応付けて格納し得る。設備ボタンとは、設備のボタンを示す情報である。設備ボタンは、設備を識別する設備識別子、設備識別子の設備図面上での領域を示す領域情報を有する。設備ボタンは、例えば、ボタンの図柄を構成する図柄情報を有しても良い。図柄情報は、例えば、図形を特定する情報である。図柄情報は、例えば、ビットマップ、ベクターデータ等である。領域情報は、例えば、矩形を示す情報、設備ボタンの端点や中心点などの点の情報である。矩形を示す情報は、例えば、左上の端点座標、右下の端点座標である。
【００５０】
設備情報格納部１１２は、設備に関する情報である１または２以上の設備情報を格納し得る。設備情報は、設備識別子に対応付けられている。設備識別子は、通常、ＩＤであるが、設備を識別する情報であれば、何でも良い。また、設備図面とは、通常、建築物の設備を含む図面である。建築物とは、通常、住宅、店舗、工場、事務所、ビル等である。また、設備とは、例えば、照明、エアコン、トイレ、コンセント等である。
【００５１】
設備情報格納部１１２は、通常、設備識別子と、設備識別子により識別される設備に関する情報である設備情報との組を、１組または２組以上格納し得る。設備情報は、例えば、設備の名称であるシンボル名、設備の画像であるシンボル画像、設備の機種の名称である機種名、設備の型番、情報入力者（ユーザ）のコメント、履歴情報、消耗期限情報などの情報を含む。なお、履歴情報とは、設備のメンテナンスの履歴を示す情報である。消耗期限情報は、設備の消耗期限に関する情報である。
【００５２】
受信部１２は、各種の指示や情報を受信する。各種の指示や情報とは、例えば、後述する設備指示、キーワード、消耗品指示等である。各種の指示や情報とは、例えば、設備図面送信指示である。設備図面送信指示とは、設備図面の送信の指示であり、例えば、設備図面を識別する図面識別子を有する。各種の指示や情報とは、例えば、設備図面、設備情報である。また、受信部１２は、通常、端末装置２から各種の指示や情報を受信する。
【００５３】
また、受信部１２は、削除ボタンへの指示である削除指示を受け付ける。削除指示は、対応する履歴情報識別子を有する。履歴情報識別子は、履歴情報を識別する情報である。
【００５４】
指示受信部１２１は、設備図面送信部１４１が送信した設備図面に含まれる設備に対する指示である設備指示を端末装置２から受信する。設備指示は、出力されている設備図面上における設備に対する指示である。設備指示は、例えば、マウス、タッチパネルへのタッチ等により入力される指示であり、設備図面上の設備への指示である。設備指示は、例えば、入力された設備識別子を有する。設備指示は、設備識別子を含んでも良いし、指示された座標位置を含んでも良いし、設備の領域情報等を含んでも良い。設備指示は、例えば、設備図面を識別する図面識別子と設備識別子を含んでも良い。
【００５５】
キーワード受信部１２２は、端末装置２から１または２以上のキーワードを受信する。キーワード受信部１２２は、１以上のキーワードを含む検索指示を受信する、と考えても良い。検索指示は、通常、設備を検索する指示である。
【００５６】
消耗品指示受信部１２３は、消耗品の一覧を出力する指示である消耗品指示を端末装置２から受信する。
【００５７】
処理部１３は、各種の処理を行う。各種の処理とは、例えば、後述する設備情報取得処理、検索処理、消耗品取得処理、課金額算出処理、課金処理等である。
【００５８】
また、処理部１３は、削除指示に対応する履歴情報を削除する処理を行う。つまり、処理部１３は、削除指示が有する履歴情報識別子で識別される履歴情報を削除する。
【００５９】
設備情報取得部１３１は、設備情報取得処理を行う。設備情報取得処理とは、指示受信部１２１が受信した設備指示に対する設備の設備情報を、設備情報格納部１１２から取得する。ここで、設備情報取得部１３１は、例えば、指示受信部１２１が受信した設備指示に対する設備を識別する設備識別子を取得し、当該設備識別子と対になる設備情報を、前記設備情報格納部１１２から取得する。
【００６０】
検索部１３２は、キーワード受信部１２２が受信した１または２以上のキーワードを用いて、設備情報格納部１１２を検索し、検索に合致した設備情報に対する１以上の設備を、端末装置２に出力されている設備図面上において、視覚的に認識可能とする情報である１以上の設備特定情報を取得する。検索部１３２は、例えば、検索に合致した設備情報に対する１以上の設備を、検索に合致しない設備情報に対する設備と比較して、視覚的に区別可能な態様で出力するための情報である１以上の設備特定情報を取得する。
【００６１】
なお、検索に合致した設備情報とは、検索に合致した設備、検索に合致した設備識別子等と同意義である。
【００６２】
また、検索部１３２が、１以上のキーワードを用いて検索する設備情報の中の情報は問わない。検索部１３２は、設備情報のすべての情報を対象に検索しても良いし、設備情報の一部の情報を対象に検索しても良い。
【００６３】
また、検索部１３２は、１以上のすべてのキーワードを含む設備情報を取得しても良いし、１以上のキーワードのうちのいずれか一つのキーワードを含む設備情報を取得しても良い。つまり、１以上のキーワードを用いた検索条件は問わない。
【００６４】
ここで、設備特定情報とは、設備の領域を示す情報、設備図面上に表示される設備の図柄、設備識別子などである。設備特定情報は、領域関連情報と同じ情報でも良い。設備特定情報は、設備図面上において、設備を特定できる情報であれば良い。
【００６５】
消耗品取得部１３３は、消耗品指示受信部１２３が受信した消耗品指示に応じて、消耗期限情報を含む１または２以上の設備情報を検索し、かつ消耗期限情報が示す消耗期限が近い順に１または２以上の設備情報をソートする。ここで、消耗期限が近い順とは、消耗期限が古い順と言っても良い。つまり、消耗品取得部１３３は、消耗期限を過ぎている設備の設備情報を取得しても良い。消耗品取得部１３３は、消耗期限情報をキーとしてソートされた１以上の設備情報を取得する。ここで、消耗品取得部１３３は、設備情報の一部の取得でも良い。
【００６６】
課金額算出部１３４は、ユーザ識別子で識別されるユーザごとに、ユーザ識別子と対になる設備図面の数を取得し、設備図面の数に応じた課金額を算出する。課金額算出部１３４は、設備図面の数をパラメータとする増加関数により、課金額を算出する。
【００６７】
課金処理部１３５は、課金額算出部１３４が算出した課金額を用いて、ユーザ識別子で識別されるユーザごとに課金処理を行う。
【００６８】
ここで、課金処理とは、課金に関する処理であれば何でも良い。課金処理は、例えば、課金額をユーザ識別子に対応付けて蓄積する処理である。課金処理は、例えば、課金のために、クレジットカード会社のサーバ装置に、ユーザ識別子と課金額とを含む課金情報を送信する処理等でも良い。
【００６９】
送信部１４は、各種の情報を送信する。送信部１４は、通常、端末装置２に各種の情報を送信する。
【００７０】
設備図面送信部１４１は、設備図面格納部１１１に格納されている設備図面を、端末装置２に送信する。端末装置２は、例えば、設備のメンテナンスを行うユーザの端末装置２である。
【００７１】
設備情報送信部１４２は、設備情報取得部１３１が取得した設備情報を端末装置２に送信する。
【００７２】
設備情報送信部１４２は、設備のメンテナンスの履歴情報に対応付けて、設備のメンテナンスの履歴情報を削除するための削除ボタンを端末装置２で表示するための削除ボタン情報をも送信する。設備情報送信部１４２は、１以上の履歴情報が存在する場合、１以上の各履歴情報に対応付けて、削除ボタン情報を端末装置２に送信する。なお、上述したように、ユーザが削除ボタンを指示されることにより、当該削除ボタンに対応する履歴情報が削除される。
【００７３】
領域関連情報送信部１４３は、指示受信部１２１が受信した設備指示に対する設備を識別する設備識別子と対になる領域情報を取得し、当該領域情報に関する情報である領域関連情報を端末装置２に送信する。領域関連情報送信部１４３は、送信される設備図面上の１以上の各設備の領域関連情報を端末装置２に送信しても良い。
【００７４】
ここで、領域関連情報は、領域情報と同じでも良いし、設備の領域に配置される図形の情報等でも良い。領域関連情報は、設備ボタンを構成する情報である。
【００７５】
設備特定情報送信部１４４は、検索部１３２が取得した１以上の設備特定情報を端末装置２に送信する。
【００７６】
消耗品情報送信部１４５は、消耗品取得部１３３が取得した１または２以上の設備情報を端末装置２に送信する。ここで、２以上の設備情報は、消耗期限情報をキーとして、ソートされている設備情報である。
【００７７】
端末装置２を構成する端末格納部２１は、各種の情報が格納され得る。各種の情報とは、例えば、ユーザ識別子、設備図面、設備情報等である。
【００７８】
端末受付部２２は、ユーザから指示や情報等を受け付ける。指示や情報等とは、例えば、設備図面送信指示、設備指示、キーワード、消耗品指示、設備図面、設備情報等である。
【００７９】
指示や情報等の入力手段は、キーボードやマウスやメニュー画面によるもの等、何でも良い。端末受付部２２は、キーボード等の入力手段のデバイスドライバーや、メニュー画面の制御ソフトウェア等で実現され得る。
【００８０】
端末処理部２３は、各種の処理を行う。各種の処理とは、例えば、端末受付部２２が受け付けた指示や情報に対して、端末格納部２１のユーザ識別子または／および図面識別子を付与し、設備情報処理装置１に送信する指示や情報を構成する処理である。
【００８１】
端末送信部２４は、各種の情報や指示を、設備情報処理装置１に送信する。各種の情報や指示は、例えば、設備指示、キーワード、消耗品指示、設備図面、設備情報等である。
【００８２】
端末受信部２５は、各種の情報を設備情報処理装置１から受信する。各種の情報とは、例えば、設備図面、設備情報等である。
【００８３】
端末出力部２６は、各種の情報を出力する。各種の情報とは、例えば、設備図面、設備情報等である。
【００８４】
ここで、出力とは、ディスプレイへの表示、プロジェクターを用いた投影、プリンタでの印字、音出力、外部の装置への送信、記録媒体への蓄積、他の処理装置や他のプログラムなどへの処理結果の引渡しなどを含む概念である。
【００８５】
格納部１１、設備図面格納部１１１、設備情報格納部１１２、設備図面格納手段１１１１、設備ボタン格納手段１１１２、端末格納部２１は、不揮発性の記録媒体が好適であるが、揮発性の記録媒体でも実現可能である。格納部１１等に情報が記憶される過程は問わない。例えば、記録媒体を介して情報が格納部１１等で記憶されるようになってもよく、通信回線等を介して送信された情報が格納部１１等で記憶されるようになってもよく、あるいは、入力デバイスを介して入力された情報が格納部１１等で記憶されるようになってもよい。
【００８６】
受信部１２、指示受信部１２１、キーワード受信部１２２、消耗品指示受信部１２３、端末受信部２５は、通常、無線または有線の通信手段で実現されるが、放送を受信する手段で実現されても良い。
【００８７】
処理部１３、設備情報取得部１３１、検索部１３２、消耗品取得部１３３、課金額算出部１３４、課金処理部１３５、端末処理部２３は、通常、ＭＰＵやメモリ等から実現され得る。処理部１３の処理手順は、通常、ソフトウェアで実現され、当該ソフトウェアはＲＯＭ等の記録媒体に記録されている。但し、ハードウェア（専用回路）で実現しても良い。
【００８８】
送信部１４、設備図面送信部１４１、設備情報送信部１４２、端末送信部２４は、通常、無線または有線の通信手段で実現されるが、放送手段で実現されても良い。
【００８９】
端末出力部２６は、ディスプレイやスピーカー等の出力デバイスを含むと考えても含まないと考えても良い。端末出力部２６は、出力デバイスのドライバーソフトまたは、出力デバイスのドライバーソフトと出力デバイス等で実現され得る。
【００９０】
次に、設備情報処理システムＡの動作について説明する。まず、設備情報処理装置１の動作について、図４のフローチャートを用いて説明する。
【００９１】
（ステップＳ４０１）指示受信部１２１は、端末装置２から設備指示を受信したか否かを判断する。設備指示を受信した場合はステップＳ４０２に行き、設備指示を受信しない場合はステップＳ４０５に行く。
【００９２】
（ステップＳ４０２）設備情報取得部１３１は、ステップＳ４０１で受信された設備指示に対応する設備識別子を取得する。
【００９３】
（ステップＳ４０３）設備情報取得部１３１は、ステップＳ４０２で取得した設備識別子と対になる設備情報を、前記設備情報格納部１１２から取得する。また、設備情報取得部１３１は、設備識別子に対応する領域情報を取得し、当該領域情報に関する情報である領域関連情報を構成しても良い。領域関連情報は、例えば、設備識別子に対応する領域情報に配置する図柄である。
【００９４】
（ステップＳ４０４）設備情報送信部１４２は、ステップＳ４０３で取得された設備情報等を端末装置２に送信する。また、設備情報等とは、設備情報と領域関連情報である。なお、設備情報が１以上の履歴情報を有する場合、設備情報送信部１４２は、１以上の各履歴情報に対応付けて、削除ボタンを端末装置２に送信しても良い。ステップＳ４０１に戻る。
【００９５】
（ステップＳ４０５）キーワード受信部１２２は、端末装置２から１以上のキーワードを受信したか否かを判断する。キーワードを受信した場合はステップＳ４０６に行き、キーワードを受信しない場合はステップＳ４０９に行く。なお、キーワード受信部１２２は、１以上のキーワードを含む、後述する検索指示を受信するか否かを判断しても良い。また、検索指示は、例えば、ユーザを識別するユーザ識別子、または／および設備図面を識別する図面識別子を有しても良い。
【００９６】
（ステップＳ４０６）検索部１３２は、ステップＳ４０５で受信された１以上のキーワードを用いて、設備情報格納部１１２を検索する。そして、検索部１３２は、１または２以上の設備情報を取得する。なお、検索部１３２は、受信された検索指示が有するユーザ識別子または／および図面識別子に対応する設備の設備情報の中で、１以上のキーワードにヒットする設備情報を取得しても良い。
【００９７】
（ステップＳ４０７）検索部１３２は、ステップＳ４０６で取得した１以上の各設備情報に対応する設備特定情報を取得する。ここで、設備特定情報は、例えば、図面上の設備の領域を示す領域関連情報である。
【００９８】
（ステップＳ４０８）設備特定情報送信部１４４は、検索部１３２が取得した１以上の設備特定情報を端末装置２に送信する。ステップＳ４０１に戻る。
【００９９】
（ステップＳ４０９）消耗品指示受信部１２３は、端末装置２から消耗品指示を受信したか否かを判断する。消耗品指示を受信すればステップＳ４１０に行き、消耗品指示を受信しなければステップＳ４１３に行く。
【０１００】
（ステップＳ４１０）消耗品取得部１３３は、消耗品指示受信部１２３が受信した消耗品指示に応じて、消耗期限情報を含む設備情報を検索し、１または２以上の設備情報を取得する。
【０１０１】
（ステップＳ４１１）消耗品取得部１３３は、ステップＳ４１０で取得した１または２以上の設備情報を、消耗期限情報をキーとしてソートする。そして、消耗品取得部１３３は、ソートされた１以上の設備情報を取得する。
【０１０２】
（ステップＳ４１２）消耗品情報送信部１４５は、ステップＳ４１１で取得された１以上の設備情報を端末装置２に送信する。ステップＳ４０１に戻る。
【０１０３】
（ステップＳ４１３）課金額算出部１３４は、課金処理のタイミングであるか否かを判断する。課金処理のタイミングであればステップＳ４１４に行き、課金処理のタイミングでなければステップＳ４２０に行く。
【０１０４】
（ステップＳ４１４）課金額算出部１３４は、カウンタｉに１を代入する。
【０１０５】
（ステップＳ４１５）課金額算出部１３４は、ｉ番目のユーザが存在するか否かを判断する。ｉ番目のユーザが存在すればステップＳ４１６に行き、ｉ番目のユーザが存在しなければステップＳ４０１に戻る。
【０１０６】
（ステップＳ４１６）課金額算出部１３４は、ｉ番目のユーザのユーザ識別子と対になる設備図面の数を、設備図面格納部１１１から取得する。
【０１０７】
（ステップＳ４１７）課金額算出部１３４は、ステップＳ４１６で取得した設備図面の数を用いて、ｉ番目のユーザに対する課金額を算出する。
【０１０８】
（ステップＳ４１８）課金処理部１３５は、ステップＳ４１７で算出された課金額を用いて、ｉ番目のユーザに対する課金処理を行う。
【０１０９】
（ステップＳ４１９）課金額算出部１３４は、カウンタｉを１、インクリメントする。ステップＳ４１５に戻る。
【０１１０】
（ステップＳ４２０）受信部１２は、端末装置２から設備図面送信指示を受信したか否かを判断する。設備図面送信指示を受信すればステップＳ４２１に行き、設備図面送信指示を受信しなければステップＳ４２３に行く。
【０１１１】
（ステップＳ４２１）処理部１３は、ステップＳ４２０で受信された設備図面送信指示に対応する設備図面を、設備図面格納部１１１から取得する。
【０１１２】
（ステップＳ４２２）設備図面送信部１４１は、ステップＳ４２１で取得された設備図面を端末装置２に送信する。ステップＳ４０１に戻る。
【０１１３】
（ステップＳ４２３）受信部１２は、その他の指示や情報等を端末装置２から受信したか否かを判断する。その他の指示や情報等を受信すればステップＳ４２４に行き、受信しなければステップＳ４０１に戻る。
【０１１４】
（ステップＳ４２４）処理部１３等「は、その他の指示や情報等に応じた処理を行う。ステップＳ４０１に戻る。
【０１１５】
なお、図４のフローチャートにおいて、電源オフや処理終了の割り込みにより処理は終了する。
【０１１６】
次に、端末装置２の動作について、図５のフローチャートを用いて説明する。
【０１１７】
（ステップＳ５０１）端末受付部２２は、ユーザから設備図面送信指示を受け付けたか否かを判断する。設備図面送信指示を受け付けた場合はステップＳ５０２に行き、設備図面送信指示を受け付けない場合はステップＳ５０５に行く。
【０１１８】
（ステップＳ５０２）端末処理部２３は、送信する設備図面送信指示を構成する。例えば、端末処理部２３は、ステップＳ５０１で受け付けられた設備図面送信指示が有する図面を特定する図面識別子を取得し、端末格納部２１からユーザ識別子を取得する。そして、端末処理部２３は、図面識別子およびユーザ識別子を有する設備図面送信指示を構成する。次に、端末送信部２４は、当該設備図面送信指示を設備情報処理装置１に送信する。
【０１１９】
（ステップＳ５０３）端末受信部２５は、設備図面を設備情報処理装置１から受信したか否かを判断する。設備図面を受信した場合はステップＳ５０４に行き、設備図面を受信しない場合はステップＳ５０３に戻る。
【０１２０】
（ステップＳ５０４）端末出力部２６は、ステップＳ５０３で受信された設備図面を出力する。ステップＳ５０１に戻る。
【０１２１】
（ステップＳ５０５）端末受付部２２は、ユーザから設備指示を受け付けたか否かを判断する。設備指示を受け付けた場合はステップＳ５０６に行き、設備指示を受け付けない場合はステップＳ５０９に行く。
【０１２２】
（ステップＳ５０６）端末処理部２３は、送信する設備指示を構成する。例えば、端末処理部２３は、ステップＳ５０５で受け付けられた設備指示が有する図面を特定する図面識別子と指示された座標情報とを取得し、端末格納部２１からユーザ識別子を取得する。そして、端末処理部２３は、図面識別子、座標情報、およびユーザ識別子を有する設備指示を構成する。次に、端末送信部２４は、当該設備指示を設備情報処理装置１に送信する。なお、端末処理部２３は、座標情報に代えて、設備識別子等を取得しても良い。端末処理部２３は、指示された設備を識別するために必要な情報を取得すれば良い。
【０１２３】
（ステップＳ５０７）端末受信部２５は、設備情報等を設備情報処理装置１から受信したか否かを判断する。設備情報等を受信した場合はステップＳ５０８に行き、設備情報等を受信しない場合はステップＳ５０７に戻る。なお、設備情報等とは、例えば、設備情報と領域特定情報と１以上の削除ボタンである。
【０１２４】
（ステップＳ５０８）端末出力部２６は、ステップＳ５０７で受信された設備情報等を出力する。ステップＳ５０１に戻る。
【０１２５】
（ステップＳ５０９）端末受付部２２は、ユーザから１以上のキーワードを受け付けたか否かを判断する。キーワードを受け付けた場合はステップＳ５１０に行き、キーワードを受け付けない場合はステップＳ５１３に行く。
【０１２６】
（ステップＳ５１０）端末処理部２３は、ステップＳ５０９で受け付けられたキーワードを用いて、送信する情報を構成する。例えば、端末処理部２３は、ステップＳ５０９で受け付けられた１以上のキーワード、および出力中の設備図面の図面識別子を有する情報（検索指示を示す情報）を構成する。また、例えば、端末処理部２３は、端末格納部２１からユーザ識別子を取得する。そして、端末処理部２３は、例えば、１以上のキーワード、図面識別子、およびユーザ識別子を有する検索指示を構成する。次に、端末送信部２４は、当該検索指示を設備情報処理装置１に送信する。
【０１２７】
（ステップＳ５１１）端末受信部２５は、１以上の設備特定情報を設備情報処理装置１から受信したか否かを判断する。設備特定情報を受信した場合はステップＳ５１２に行き、設備特定情報を受信しない場合はステップＳ５１１に戻る。
【０１２８】
（ステップＳ５１２）端末出力部２６は、ステップＳ５１１で受信された設備特定情報を出力する。ステップＳ５０１に戻る。なお、設備特定情報の出力により、１以上のキーワードに合致する設備が、設備図面上に明示される。
【０１２９】
（ステップＳ５１３）端末受付部２２は、ユーザから消耗品指示を受け付けたか否かを判断する。消耗品指示を受け付けた場合はステップＳ５１４に行き、消耗品指示を受け付けない場合はステップＳ５１７に行く。
【０１３０】
（ステップＳ５１４）端末処理部２３は、ステップＳ５１３で受け付けられた消耗品指示を用いて、送信する情報を構成する。例えば、端末処理部２３は、出力中の設備図面の図面識別子を取得する。また、端末処理部２３は、端末格納部２１からユーザ識別子を取得する。そして、端末処理部２３は、例えば、図面識別子およびユーザ識別子を有する消耗品指示を構成する。次に、端末送信部２４は、当該消耗品指示を設備情報処理装置１に送信する。
【０１３１】
（ステップＳ５１５）端末受信部２５は、ソートされた設備情報を設備情報処理装置１から受信したか否かを判断する。ソートされた設備情報を受信した場合はステップＳ５１６に行き、ソートされた設備情報を受信しない場合はステップＳ５１５に戻る。
【０１３２】
（ステップＳ５１６）端末出力部２６は、ステップＳ５１５で受信されたソートされた設備情報を出力する。ステップＳ５０１に戻る。
【０１３３】
（ステップＳ５１７）端末受付部２２は、ユーザからその他の指示や情報を受け付けたか否かを判断する。その他の指示等を受け付けた場合はステップＳ５１８に行き、その他の指示等を受け付けない場合はステップＳ５０１に戻る。
【０１３４】
（ステップＳ５１８）端末処理部２３は、ステップＳ５１３で受け付けられたその他の指示等を用いて、送信するその他の指示等を構成する。次に、端末送信部２４は、当該その他の指示等を設備情報処理装置１に送信する。
【０１３５】
（ステップＳ５１９）端末受信部２５は、情報を設備情報処理装置１から受信したか否かを判断する。情報を受信した場合はステップＳ５２０に行き、情報を受信しない場合はステップＳ５１９に戻る。なお、受信される情報は、その他の指示等を送信したことに応じた情報である。
【０１３６】
（ステップＳ５２０）端末出力部２６は、ステップＳ５１９で受信された情報を出力する。ステップＳ５０１に戻る。
【０１３７】
なお、図５のフローチャートにおいて、電源オフや処理終了の割り込みにより処理は終了する。
【０１３８】
以下、本実施の形態における設備情報処理システムＡの具体的な動作について説明する。設備情報処理システムＡの概念図は図１である。また、端末装置２から設備情報処理装置１へのアクセス、端末装置２における各種処理は、例えば、インターネットブラウザにより行われる、とする。
【０１３９】
今、格納部１１は、図６に示すユーザ情報管理表を保持している。ユーザ情報管理表は、１以上のユーザ情報を管理する表である。ユーザ情報管理表は、「ＩＤ」「パスワード」「フォルダ名」「会社名」「担当者所属部署名」「担当者名」「担当者メールアドレス」「郵便番号」「都道府県」「市町村名」「以降住所」「建物名」「電話番号１」「電話番号２」「ＦＡＸ番号」「ユーザ数制限」「図面登録数制限」の属性値を有する１以上のレコードを管理している。「ＩＤ」は、ユーザ識別子である。「ＩＤ」「パスワード」により認証され、設備情報処理装置１へのログインが可能となる。「フォルダ名」は、設備図面や設備情報等が格納されるフォルダ名である。「以降住所」は、市町村名の次以降の住所の情報であり、番地等の情報である。「建物名」は、格納される設備図面の建物の名称である。「ユーザ数制限」は、設備情報処理装置１にアクセス可能なユーザ数の制限である。また、「図面登録数制限」は、管理できる設備図面の数の制限である。
【０１４０】
また、設備図面格納手段１１１１は、図７に示す設備図面を格納している。この設備図面の図面識別子は、例えば、「００１」である、とする。また、この設備図面は、ユーザ識別子「ｅｃｈｏ」に対応付いている、とする。
【０１４１】
また、設備ボタン格納手段１１１２は、図８に示す設備ボタン管理表を格納している。設備ボタン管理表は、１以上の設備ボタンを管理する。設備ボタン管理表は、「ＩＤ」「図面識別子」「設備識別子」「領域情報」を有する１以上のレコードを格納している。「ＩＤ」は、レコードを識別する情報である。「図面識別子」は、指示され得る設備を含む設備図面の図面識別子である。「設備識別子」は、指示され得る設備を識別する情報である。「領域情報」は、設備の設備図面上での領域を示す情報であり、ここでは、（ｘ１、ｙ１）（ｘ２，ｙ２）の２点の座標値を有する。（ｘ１、ｙ１）は設備の領域の左上座標の値、（ｘ２，ｙ２）設備の領域の右下座標の値である。
【０１４２】
また、設備情報格納部１１２は、図９に示す設備情報管理表を格納している。設備情報管理表は、「ＩＤ」「図面識別子」「設備識別子」「シンボル名」「シンボル画像」「機種名」「型番」「コメント」「履歴」「消耗期限」を有する１以上のレコードを格納している。「ＩＤ」は、レコードを識別する情報である。「シンボル名」は設備の名称、「シンボル画像」は設備の画像である。また、「型番」は設備の型番である。「コメント」は、ユーザが入力したコメントである。「履歴」は、設備のメンテナンスの履歴情報である。また、「履歴」は、ここでは「日付」「作業内容」を有する。「日付」は、メンテナンスを行った時（日、年など）を特定する情報である。「作業内容」は、メンテナンスの作業の内容を示す情報である。「消耗期限」は、設備の消耗期限情報である。
【０１４３】
かかる状況において、ユーザは、自分の端末装置２に、ユーザ識別子「ｅｃｈｏ」および正しいパスワードを入力し、端末装置２から設備情報処理装置１にログインした、とする。
【０１４４】
次に、ユーザは、端末装置２に、図面識別子「００１」を有する設備図面送信指示を入力した、とする。次に、端末受付部２２は、当該設備図面送信指示を受け付ける。そして、端末処理部２３は、図面識別子「００１」、ユーザ識別子「ｅｃｈｏ」を有する設備図面送信指示を構成する。次に、端末送信部２４は、当該設備図面送信指示を設備情報処理装置１に送信する。
【０１４５】
次に、設備情報処理装置１の受信部１２は、端末装置２から設備図面送信指示を受信する。次に、処理部１３は、受信された設備図面送信指示に対応する設備図面（図面識別子「００１」の設備図面）を、設備図面格納部１１１から取得する。そして、設備図面送信部１４１は、取得された設備図面を端末装置２に送信する。
【０１４６】
次に、端末装置２の端末受信部２５は、設備図面（図７参照）を設備情報処理装置１から受信する。そして、端末出力部２６は、受信された設備図面を、図１０に示すように出力する。
【０１４７】
次に、ユーザは、図１０の設備図面上の、１００１のコンセントを指示した、とする。そして、端末受付部２２は、１００１のコンセントに対する設備信指示を受け付ける。次に、端末処理部２３は、送信する設備指示を構成する。つまり、例えば、端末処理部２３は、受け付けられた設備指示が有する図面を特定する図面識別子「００１」と指示された座標情報（ｘａ，ｙａ）とを取得する。また、端末処理部２３は、端末格納部２１からユーザ識別子「ｅｃｈｏ」を取得する。そして、端末処理部２３は、図面識別子「００１」、座標情報（ｘａ，ｙａ）、およびユーザ識別子「ｅｃｈｏ」を有する設備指示を構成する。次に、端末送信部２４は、当該設備指示を設備情報処理装置１に送信する。
【０１４８】
次に、設備情報処理装置１の指示受信部１２１は、端末装置２から設備指示を受信する。この設備指示は、図面識別子「００１」、座標情報（ｘａ，ｙａ）、およびユーザ識別子「ｅｃｈｏ」を有する。
【０１４９】
次に、設備情報取得部１３１は、受信された設備指示に対応する設備識別子「ｃｎｓ１」を取得する。つまり、設備情報取得部１３１は、図面識別子「００１」に合致するレコードであり、座標情報（ｘａ，ｙａ）を含む領域情報と対になる設備識別子「ｃｎｓ１」を、図８の設備ボタン管理表から取得する。
【０１５０】
次に、設備情報取得部１３１は、図面識別子「００１」および設備識別子「ｃｎｓ１」と対になる設備情報を、図９の設備情報管理表から取得する。また、設備情報取得部１３１は、設備識別子「ｃｎｓ１」と対になる領域情報「（ｘ１１、ｙ１１）（ｘ１２，ｙ１２）」を、図８の設備ボタン管理表から取得する。そして、設備情報取得部１３１は、領域情報「（ｘ１１、ｙ１１）（ｘ１２，ｙ１２）」または、領域情報「（ｘ１１、ｙ１１）（ｘ１２，ｙ１２）」の領域に配置される図柄を取得する。なお、この領域情報または図柄は、領域関連情報である。
【０１５１】
次に、設備情報送信部１４２は、取得された設備情報を端末装置２に送信する。また、設備情報送信部１４２は、領域関連情報も端末装置２に送信する。さらに、設備情報送信部１４２は、コメントおよび履歴情報に対応する削除ボタンも端末装置２に送信する。
【０１５２】
次に、端末装置２の端末受信部２５は、設備情報および領域関連情報を設備情報処理装置１から受信する。そして、端末出力部２６は、受信された設備情報、領域関連情報、および削除ボタンを出力する。かかる出力例は、図１１である。図１１において、１１０１は、出力された設備情報の例である。また、領域関連情報の出力例は、図１１の１１０２である。領域関連情報の出力結果は、指示された設備を、他の設備と視覚的に識別可能とする図柄である。なお、端末受信部２５が１１０２の図柄を受信しても良いし、端末処理部２３が受信された領域情報から１１０２の図柄を構成しても良い。
【０１５３】
次に、ユーザは、設備図面上で、チェックしたい設備（ここでは、「照明」）を明示するために、キーワード「照明」を入力し、検索ボタン１２０１を押下した、とする。かかる入力のイメージを図１２に示す。
【０１５４】
次に、端末受付部２２は、ユーザからキーワード「照明」を受け付ける。
【０１５５】
次に、端末処理部２３は、受け付けられたキーワード「照明」を用いて、送信する情報を構成する。つまり、端末処理部２３は、キーワード「照明」、出力中の設備図面の図面識別子、およびユーザ識別子「ｅｃｈｏ」を有する検索指示を構成する。次に、端末送信部２４は、当該検索指示を設備情報処理装置１に送信する。
【０１５６】
次に、設備情報処理装置１のキーワード受信部１２２は、端末装置２からキーワード「照明」を有する検索指示を受信する。
【０１５７】
次に、検索部１３２は、受信された図面識別子およびユーザ識別子「ｅｃｈｏ」と対になる設備情報から、受信されたキーワード「照明」を用いて設備情報管理表を検索する。そして、検索部１３２による検索の結果、７つの設備情報がヒットした、とする。次に、検索部１３２は、７つの各設備情報が有する７つの領域情報を取得する。そして、検索部１３２は、７つの領域情報を用いて、図面上の設備の領域を示す設備特定情報を取得する。ここでの設備特定情報は、例えば、７つの各領域情報が示す領域に配置される７つの図柄である、とする。
【０１５８】
次に、設備特定情報送信部１４４は、検索部１３２が取得した７つの設備特定情報（図柄）を端末装置２に送信する。
【０１５９】
次に、端末装置２の端末受信部２５は、７つの設備特定情報を設備情報処理装置１から受信する。端末出力部２６は、受信された７つの設備特定情報を出力する。７つの設備特定情報は、図１２の１２０２〜１２０８である。
【０１６０】
次に、ユーザは、端末装置２に消耗品指示を入力した、とする。次に、端末受付部２２は、ユーザから消耗品指示を受け付ける。
【０１６１】
次に、端末処理部２３は、受け付けられた消耗品指示を用いて、送信する情報を構成する。つまり、端末処理部２３は、出力中の設備図面の図面識別子を取得する。また、端末処理部２３は、端末格納部２１からユーザ識別子「ｅｃｈｏ」を取得する。そして、端末処理部２３は、図面識別子およびユーザ識別子「ｅｃｈｏ」を有する消耗品指示を構成する。次に、端末送信部２４は、当該消耗品指示を設備情報処理装置１に送信する。
【０１６２】
次に、設備情報処理装置１の消耗品指示受信部１２３は、端末装置２から消耗品指示を受信する。
【０１６３】
次に、消耗品取得部１３３は、消耗品指示受信部１２３が受信した消耗品指示が有する図面識別子およびユーザ識別子「ｅｃｈｏ」と対になる設備情報であり、消耗期限情報を含む設備情報を設備情報管理表から検索し、１以上の設備情報を取得する。
【０１６４】
次に、消耗品取得部１３３は、取得した１以上の設備情報を、消耗期限情報をキーとしてソートする。つまり、消耗品取得部１３３は、消耗期限が早いものから上位にくるようにソートされた１以上の設備情報を取得する。
【０１６５】
次に、消耗品情報送信部１４５は、ソートされた１以上の設備情報を端末装置２に送信する。
【０１６６】
次に、端末装置２の端末受信部２５は、ソートされた設備情報を設備情報処理装置１から受信する。そして、端末出力部２６は、ソートされた設備情報を出力する。かかる出力例は、図１３である。図１３において、消耗品の中で、交換の期限が早くくるものから上位に並べられた出力されている。また、既に、消耗期限が経過しているものは、消耗期限が経過していない設備の設備情報と比較して、視覚的に区別可能なように出力されている。ここでは、既に、消耗期限が経過している設備情報の期限が、赤字で示されている。ただし、消耗期限が経過しているものは、消耗期限が経過していない設備の設備情報と比較して、視覚的に区別可能なように出力される方法は問わない。
【０１６７】
次に、課金額算出部１３４は、課金処理のタイミングになった、とする。ここでは、課金額算出部１３４は、月末の１２：００に、課金処理のタイミングになると判断する、とする。
【０１６８】
そして、課金額算出部１３４は、例えば、ユーザ識別子「ｅｃｈｏ」と対になる設備図面の数「１０」を、設備図面格納部１１１に格納されている情報から取得した、とする。
【０１６９】
次に、課金額算出部１３４は、取得した設備図面の数「１０」を用いて、ユーザ識別子「ｅｃｈｏ」で識別されるユーザに対する課金額を算出する。ここでは、１図面につき、月１０００円を課金する、とする。つまり、課金額算出部１３４は、ユーザ識別子「ｅｃｈｏ」で識別されるユーザに対する課金額を、１００００円と算出する。
【０１７０】
次に、課金処理部１３５は、算出された課金額「１００００円」を用いて、ユーザ識別子「ｅｃｈｏ」のユーザに対する課金処理を行う。ここで、課金処理は、ユーザ識別子「ｅｃｈｏ」に対応付けて、課金額「１００００円」および時期の情報「２０１４年１１月」を蓄積する処理である、とする。なお、課金処理部１３５は、算出された課金額「１００００円」を用いて、ユーザ識別子「ｅｃｈｏ」と対になるクレジットカード番号を用いて、決裁処理を行っても良い。
【０１７１】
以上、本実施の形態によれば、設備の現場で、設備の最新の情報が容易に取得できる。
【０１７２】
また、本実施の形態において、設備の現場で、設備の最新の詳細な情報を容易にメンテナンスできる。
【０１７３】
また、本実施の形態において、設備の現場で、消耗品の情報が容易に取得でき、作業を促進できる。
【０１７４】
さらに、本実施の形態において、システム利用者に対して、適切な課金が可能となる。
【０１７５】
なお、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における設備情報処理装置１を実現するソフトウェアは、以下のようなプログラムである。つまり、このプログラムは、コンピュータアクセス可能な記録媒体は、１以上の設備を含む設備図面を格納し得る設備図面格納部と、設備を識別する設備識別子と、当該設備識別子により識別される設備に関する情報である設備情報との組を、１組以上格納し得る設備情報格納部とを具備し、コンピュータを、前記設備図面格納部に格納されている設備図面を、端末装置に送信する設備図面送信部と、前記設備図面送信部が送信した設備図面に含まれる設備に対する指示である設備指示を前記端末装置から受信する指示受信部と、前記指示受信部が受信した設備指示に対する設備の設備情報を、前記設備情報格納部から取得する設備情報取得部と、前記設備情報取得部が取得した設備情報を前記端末装置に送信する設備情報送信部として機能させるためのプログラムである。
【０１７６】
前記設備図面格納部は、設備図面を格納し得る設備図面格納手段と、設備識別子、当該設備識別子の設備図面上での領域を示す領域情報を有する１以上の設備ボタンを前記設備図面に対応付けて格納し得る設備ボタン格納手段とを具備し、上記プログラムにおいて、前記指示受信部が受信した設備指示に対する設備を識別する設備識別子と対になる領域情報を取得し、当該領域情報に関する情報である領域関連情報を前記端末装置に送信する領域関連情報送信部として、コンピュータをさらに機能させるプログラムであることは好適である。
【０１７７】
上記プログラムにおいて、前記設備情報は、当該設備情報に対応する設備のメンテナンスの履歴情報を含むものとして、コンピュータを機能させるプログラムであることは好適である。
【０１７８】
上記プログラムにおいて、前記設備情報送信部は、前記設備のメンテナンスの履歴情報に対応付けて、当該設備のメンテナンスの履歴情報を削除するための削除ボタンを前記端末装置で表示するための削除ボタン情報をも送信するものとして、コンピュータを機能させるプログラムであることは好適である。
【０１７９】
上記プログラムにおいて、前記端末装置からキーワードを受信するキーワード受信部と、前記キーワードを用いて、前記設備情報格納部を検索し、当該検索に合致した設備情報に対する１以上の設備を、前記端末装置に出力されている設備図面上において、視覚的に認識可能とする情報である１以上の設備特定情報を取得する検索部と、前記検索部が取得した１以上の設備特定情報を前記端末装置に送信する設備特定情報送信部として、コンピュータをさらに機能させるプログラムであることは好適である。
【０１８０】
上記プログラムにおいて、前記設備情報は、設備の消耗期限に関する情報である消耗期限情報を含み得、消耗品の一覧を出力する指示である消耗品指示を前記端末装置から受信する消耗品指示受信部と、前記消耗品指示に応じて、消耗期限情報を含む２以上の設備情報を検索し、かつ消耗期限情報が示す消耗期限が近い順に２以上の設備情報をソートする消耗品取得部と、前記消耗品取得部が取得した２以上の設備情報を前記端末装置に送信する消耗品情報送信部として、コンピュータをさらに機能させるプログラムであることは好適である。
【０１８１】
前記設備図面格納部は、ユーザを識別するユーザ識別子に対応付けて、１以上の設備図面を格納しており、上記プログラムにおいて、前記ユーザ識別子で識別されるユーザごとに、前記ユーザ識別子と対になる設備図面の数を取得し、当該設備図面の数に応じた課金額を算出する課金額算出部と、前記課金額算出部が算出した課金額を用いて、前記ユーザ識別子で識別されるユーザごとに課金処理を行う課金処理部として、コンピュータをさらに機能させるプログラムであることは好適である。
【０１８２】
（実施の形態２）
本実施の形態において、設備情報データベースを構築する設備情報データベース構築装置について説明する。設備情報データベースとは、設備情報の集合のことであり、設備情報格納部１１２内のデータであり、広く解する。
【０１８３】
図１４は、本実施の形態における設備情報データベース構築装置３のブロック図である。
【０１８４】
設備情報データベース構築装置３は、格納部１１、受付部３２、処理部３３、出力部３４を備える。
【０１８５】
格納部１１は、設備図面格納部１１１、設備情報格納部１１２を備える。
【０１８６】
受付部３２は、設備図面出力指示受付部３２１、設備領域指示受付部３２２、設備情報入力受付部３２３を備える。
【０１８７】
処理部３３は、設備識別子生成部３３１、設備領域情報取得部３３２、設備情報蓄積部３３３、設備情報領域生成部３３４を備える。
【０１８８】
出力部３４は、設備図面出力部３４１、設備情報入力画面出力部３４２を備える。
【０１８９】
受付部３２は、指示や情報等を受け付ける。指示や情報等とは、例えば、後述する設備図面出力指示、設備領域指示、設備図面、設備情報等である。ここでの受け付けとは、キーボードやマウス、タッチパネルなどの入力デバイスから入力された情報の受け付け、有線もしくは無線の通信回線を介して送信された情報の受信、光ディスクや磁気ディスク、半導体メモリなどの記録媒体から読み出された情報の受け付けなどを含む概念である。なお、受付部３２は、例えば、ユーザが使用する端末装置（図示しない）からの情報や指示等を受信する。
【０１９０】
指示や情報等の入力手段は、キーボードやマウスやメニュー画面によるもの等、何でも良い。受付部３２は、キーボード等の入力手段のデバイスドライバーや、メニュー画面の制御ソフトウェア等で実現され得る。
【０１９１】
受付部３２を構成する設備図面出力指示受付部３２１は、一の設備図面の出力の指示である設備図面出力指示を受け付ける。設備図面出力指示は、通常、設備図面を識別する図面識別子を有する。設備図面出力指示は、出力されている図面や図面の名称の選択の入力等でも良い。
【０１９２】
設備領域指示受付部３２２は、設備図面出力部３４１が出力した設備図面に対して、設備の領域を示す設備領域指示を受け付ける。設備領域指示とは、通常、領域情報を有する。
【０１９３】
設備情報入力受付部３２３は、設備情報の一部または全部を入力する画面に対して、設備情報の一部または全部の入力を受け付ける。
【０１９４】
処理部３３は、各種の処理を行う。各種の処理とは、例えば、後述する設備識別子生成処理、設備領域情報取得処理、設備情報蓄積処理、設備情報領域生成処理等である。
【０１９５】
設備識別子生成部３３１は、設備識別子生成処理を行う。設備識別子生成処理とは、設備領域指示受付部３２２が受け付けた設備領域指示に対応する設備を識別する設備識別子を生成する処理である。ここで、設備識別子とは、ユニークな情報である。
【０１９６】
設備領域情報取得部３３２は、設備領域情報取得処理を行う。設備領域情報取得処理とは、設備領域指示受付部３２２が受け付けた設備領域指示に対応する領域を示す領域情報を取得する処理である。
【０１９７】
設備情報蓄積部３３３は、設備情報蓄積処理を行う。設備情報蓄積処理とは、設備識別子生成部３３１が生成した設備識別子と、設備領域情報取得部３３２が取得した領域情報を有する設備情報とを、設備情報格納部１１２に蓄積する処理である。
【０１９８】
設備情報蓄積部３３３は、設備情報入力受付部３２３が受け付けた設備情報の一部または全部を、設備識別子生成部３３１が生成した設備識別子と対にして、設備情報格納部１１２に蓄積する。
【０１９９】
設備情報領域生成部３３４は、設備情報領域生成処理を行う。設備情報領域生成処理とは、設備領域指示受付部３２２が設備領域指示を受け付けたことに応じて、設備情報格納部１１２に、設備領域指示に対応する設備の設備情報を格納する領域を生成する処理である。
【０２００】
出力部３４は、各種の情報を出力する。各種の情報とは、例えば、設備図面、設備情報入力画面等である。なお、出力とは、ディスプレイへの表示、プロジェクターを用いた投影、プリンタでの印字、音出力、外部の装置への送信、記録媒体への蓄積、他の処理装置や他のプログラムなどへの処理結果の引渡しなどを含む概念である。
【０２０１】
設備図面出力部３４１は、設備図面出力指示に対応する一の設備図面を設備図面格納部１１１から取得し、一の設備図面を出力する。
【０２０２】
設備情報入力画面出力部３４２は、設備領域指示受付部３２２が設備領域指示を受け付けたことに応じて、設備識別子生成部３３１が生成した設備識別子で識別される設備情報の一部または全部を入力する画面を出力する。
【０２０３】
処理部３３、設備識別子生成部３３１、設備領域情報取得部３３２、設備情報蓄積部３３３、設備情報領域生成部３３４は、通常、ＭＰＵやメモリ等から実現され得る。処理部３３等の処理手順は、通常、ソフトウェアで実現され、当該ソフトウェアはＲＯＭ等の記録媒体に記録されている。但し、ハードウェア（専用回路）で実現しても良い。
【０２０４】
出力部３４、設備図面出力部３４１、設備情報入力画面出力部３４２は、ディスプレイやスピーカー等の出力デバイスを含むと考えても含まないと考えても良い。出力部３４等は、出力デバイスのドライバーソフトまたは、出力デバイスのドライバーソフトと出力デバイス等で実現され得る。
【０２０５】
次に、設備情報データベース構築装置３の動作について、図１５のフローチャートを用いて説明する。
【０２０６】
（ステップＳ１５０１）受付部３２は、設備図面を受け付けたか否かを判断する。設備図面を受け付ければステップＳ１５０２に行き、設備図面を受け付けなければステップＳ１５０４に行く。
【０２０７】
（ステップＳ１５０２）処理部３３は、ユニークな図面識別子を生成する。なお、図面識別子の生成アルゴリズムは問わない。処理部３３は、例えば、ユーザ識別子を含み、当該ユーザ識別子に対応する図面識別子の中で、ユニークな数字を取得する。なお、ユニークな数字は、例えば、ユーザ識別子に対応する既存の図面識別子の最大数に１を加えた数字である。
【０２０８】
（ステップＳ１５０３）処理部３３は、図面識別子と、当該図面識別子に対応付けた設備図面とを、設備図面格納部１１１に蓄積する。ステップＳ１５０１に戻る。
【０２０９】
（ステップＳ１５０４）設備図面出力指示受付部３２１は、設備図面出力指示を受け付けたか否かを判断する。設備図面出力指示を受け付けた場合はステップＳ１５０５に行き、設備図面出力指示を受け付けない場合はステップＳ１５０６に行く。なお、設備図面出力指示は、図面識別子を有する。
【０２１０】
（ステップＳ１５０５）処理部３３は、ステップＳ１５０４で受け付けられた設備図面出力指示が有する図面識別子に対応する設備図面を設備図面格納部１１１から取得する。そして、設備図面出力部３４１は、当該設備図面を出力する。ステップＳ１５０１に戻る。
【０２１１】
（ステップＳ１５０６）設備領域指示受付部３２２は、設備領域指示を受け付けたか否かを判断する。設備領域指示を受け付ければステップＳ１５０７に行き、設備領域指示を受け付けなければステップＳ１５１２に行く。なお、設備領域指示は、例えば、図面識別子、領域を示す図形の情報を有する。
【０２１２】
（ステップＳ１５０７）設備情報領域生成部３３４は、設備情報を蓄積する領域である設備情報領域を生成する。なお、設備情報領域の生成とは、通常、設備情報を蓄積するデータベース（表）のレコードの生成である。設備情報領域生成部３３４は、通常、設備領域指示を入力したユーザのユーザ識別子に対応する設備情報を格納する領域（通常、データベース）に、設備情報領域を生成する。
【０２１３】
（ステップＳ１５０８）設備識別子生成部３３１は、ユニークな設備識別子を生成する。なお、設備識別子は、ユーザ識別子に対応付く設備識別子の中でユニークであっても良いし、図面識別子に対応付く設備識別子の中でユニークであっても良いし、設備情報データベース構築装置３等においてユニークであっても良い。
【０２１４】
（ステップＳ１５０９）設備領域情報取得部３３２は、設備領域指示受付部３２２が受け付けた設備領域指示に対応する領域を示す領域情報を取得する。
【０２１５】
（ステップＳ１５１０）設備情報蓄積部３３３は、設備識別子生成部３３１が生成した設備識別子と、設備領域情報取得部３３２が取得した領域情報を有する設備情報とを、設備情報領域生成部３３４が生成した設備情報領域に蓄積する。なお、設備情報領域は、設備情報格納部１１２に存在する。ステップＳ１５０１に戻る。
【０２１６】
（ステップＳ１５１１）設備情報入力画面出力部３４２は、設備情報の一部または全部を入力する設備情報入力画面を出力する。なお、格納部１１は、例えば、予め設備情報入力画面の情報を格納している。設備情報入力画面の情報は、例えば、ＨＴＭＬ、またはＸＭＬ等で記述されている。設備情報入力画面の情報の構成方法は問わない。
【０２１７】
（ステップＳ１５１２）設備情報入力受付部３２３は、ステップＳ１５１１で出力された設備情報入力画面に対して、設備情報の一部または全部の入力を受け付けたか否かを判断する。設備情報の一部または全部の入力を受け付けた場合はステップＳ１５１３に行き、受け付けない場合はステップＳ１５０１に戻る。
【０２１８】
（ステップＳ１５１３）設備情報蓄積部３３３は、ステップＳ１５１２で受け付けられた設備情報の一部または全部を、設備識別子生成部３３１が生成した設備識別子と対にして、設備情報格納部１１２に蓄積する。ステップＳ１５０１に戻る。
【０２１９】
なお、図１５のフローチャートにおいて、電源オフや処理終了の割り込みにより処理は終了する。
【０２２０】
以下、本実施の形態における設備情報データベース構築装置３の具体的な動作について説明する。
【０２２１】
今、ユーザは、設備情報データベース構築装置３に対して、図７に示す設計図面を入力した、とする。すると、受付部３２は、設備図面を受け付ける。
【０２２２】
次に、処理部３３は、ユニークな図面識別子（例えば、「００１」）を生成する。次に、処理部３３は、図面識別子と、当該図面識別子に対応付けた設備図面とを、設備図面格納部１１１に蓄積する。
【０２２３】
次に、ユーザは、設備情報データベース構築装置３に対して、図面識別子（例えば、「００１」）を有する設備図面出力指示を入力した、とする。そして、設備図面出力指示受付部３２１は、設備図面出力指示を受け付ける。次に、処理部３３は、設備図面出力指示が有する図面識別子に対応する設備図面を設備図面格納部１１１から取得する。そして、設備図面出力部３４１は、当該設備図面を出力する。
【０２２４】
次に、ユーザは、出力されている図７の設備図面を拡大する操作を行い、設備図面を拡大する。そして、ユーザは、拡大された図面に対して、図１６に示すように、矩形の図形１６０１を一の設備（エアコン）の上に配置する。次に、設備領域指示受付部３２２は、当該エアコンに対する設備領域指示を受け付ける。なお、設備領域指示を入力する際に、設備図面を拡大することは、必須ではないことは言うまでもない。
【０２２５】
次に、設備情報領域生成部３３４は、設備情報を蓄積する領域である設備情報領域を生成する。ここでは、設備情報領域生成部３３４は、設備情報管理表のレコードを生成する。
【０２２６】
次に、設備識別子生成部３３１は、ユニークな設備識別子（例えば、「ｅｃｎ１」）を生成する。
【０２２７】
次に、設備領域情報取得部３３２は、設備領域指示受付部３２２が受け付けた設備領域指示に対応する領域を示す領域情報（ｘα,ｙα）（ｘβ，ｙβ）を取得する。なお、（ｘα,ｙα）は矩形の図形１６０１の左上座標、（ｘβ，ｙβ）は矩形の図形１６０１の右下座標である。
【０２２８】
次に、設備情報蓄積部３３３は、設備識別子生成部３３１が生成した設備識別子「ｅｃｎ１」と、設備領域情報取得部３３２が取得した領域情報（ｘα,ｙα）（ｘβ，ｙβ）を有する設備情報とを、設備情報領域生成部３３４が生成したレコードに蓄積する。
【０２２９】
次に、設備情報入力画面出力部３４２は、設備情報の一部または全部を入力する設備情報入力画面を出力する。かかる設備情報入力画面の例は、図１７である。つまり、設備図面出力指示の入力により、ユーザの端末装置での画面表示は、図１６から図１７に遷移した、とする。なお、図１７において、設備図面と設備情報入力画面とが共に出力されている。また、設備情報入力画面は、１７０１である。
【０２３０】
次に、ユーザは、図１７の１７０１の各入力フィールドに、「シンボル名」「シンボル画像」「機器名」「型番」「コメント」「履歴」等を入力した、とする。かかる入力後の画面例は、図１８である。
【０２３１】
次に、設備情報入力受付部３２３は、１７０１の設備情報入力画面対して、設備情報の一部の入力を受け付ける。
【０２３２】
次に、設備情報蓄積部３３３は、受け付けられた設備情報の一部を、設備識別子生成部３３１が生成した設備識別子と対にして、設備情報格納部１１２に蓄積する。
【０２３３】
以上、本実施の形態によれば、設備情報データベースを容易に構築できる。
【０２３４】
なお、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における設備情報データベース構築装置３を実現するソフトウェアは、以下のようなプログラムである。つまり、このプログラムは、コンピュータアクセス可能な記録媒体は、１以上の設備図面を格納し得る設備図面格納部と、設備図面を識別する図面識別子と、設備を識別する設備識別子と、当該設備識別子により識別される設備に関する情報である設備情報との組を、１組以上格納し得る設備情報格納部とを具備し、コンピュータを、一の設備図面の出力の指示である設備図面出力指示を受け付ける設備図面出力指示受付部と、前記設備図面出力指示に対応する一の設備図面を前記設備図面格納部から取得し、当該一の設備図面を出力する設備図面出力部と、前記設備図面出力部が出力した設備図面に対して、設備の領域を示す設備領域指示を受け付ける設備領域指示受付部と、前記設備領域指示受付部が受け付けた設備領域指示に対応する設備を識別する設備識別子を生成する設備識別子生成部と、前記設備領域指示受付部が受け付けた設備領域指示に対応する領域を示す領域情報を取得する設備領域情報取得部と、前記設備識別子生成部が生成した設備識別子と、前記設備領域情報取得部が取得した領域情報を有する設備情報とを、前記設備情報格納部に蓄積する設備情報蓄積部として機能させるためのプログラムである。
【０２３５】
上記プログラムにおいて、前記設備領域指示受付部が設備領域指示を受け付けたことに応じて、前記設備識別子生成部が生成した設備識別子で識別される設備情報の一部または全部を入力する画面を出力する設備情報入力画面出力部と、前記設備情報の一部または全部を入力する画面に対して、設備情報の一部または全部の入力を受け付ける設備情報入力受付部として、コンピュータをさらに機能させるプログラムであり、前記設備情報蓄積部は、前記設備情報入力受付部が受け付けた設備情報の一部または全部を、前記設備識別子生成部が生成した設備識別子と対にして、前記設備情報格納部に蓄積するものとして、コンピュータを機能させるプログラムであることは好適である。
【０２３６】
上記プログラムにおいて、前記設備領域指示受付部が設備領域指示を受け付けたことに応じて、前記設備情報格納部に、前記設備領域指示に対応する設備の設備情報を格納する領域を生成する設備情報領域生成部として、コンピュータをさらに機能させるプログラムであることは好適である。
【０２３７】
また、図１９は、本明細書で述べたプログラムを実行して、上述した種々の実施の形態の設備情報処理装置１等を実現するコンピュータの外観を示す。上述の実施の形態は、コンピュータハードウェア及びその上で実行されるコンピュータプログラムで実現され得る。図１９は、このコンピュータシステム３００の概観図であり、図２０は、システム３００のブロック図である。
【０２３８】
図１９において、コンピュータシステム３００は、ＣＤ−ＲＯＭドライブを含むコンピュータ３０１と、キーボード３０２と、マウス３０３と、モニタ３０４とを含む。
【０２３９】
図２０において、コンピュータ３０１は、ＣＤ−ＲＯＭドライブ３０１２に加えて、ＭＰＵ３０１３と、ＭＰＵ３０１３、ＣＤ−ＲＯＭドライブ３０１２に接続されたバス３０１４と、ブートアッププログラム等のプログラムを記憶するためのＲＯＭ３０１５と、ＭＰＵ３０１３に接続され、アプリケーションプログラムの命令を一時的に記憶するとともに一時記憶空間を提供するためのＲＡＭ３０１６と、アプリケーションプログラム、システムプログラム、及びデータを記憶するためのハードディスク３０１７とを含む。ここでは、図示しないが、コンピュータ３０１は、さらに、ＬＡＮへの接続を提供するネットワークカードを含んでも良い。
【０２４０】
コンピュータシステム３００に、上述した実施の形態の設備情報処理装置１等の機能を実行させるプログラムは、ＣＤ−ＲＯＭ３１０１に記憶されて、ＣＤ−ＲＯＭドライブ３０１２に挿入され、さらにハードディスク３０１７に転送されても良い。これに代えて、プログラムは、図示しないネットワークを介してコンピュータ３０１に送信され、ハードディスク３０１７に記憶されても良い。プログラムは実行の際にＲＡＭ３０１６にロードされる。プログラムは、ＣＤ−ＲＯＭ３１０１またはネットワークから直接、ロードされても良い。
【０２４１】
プログラムは、コンピュータ３０１に、上述した実施の形態の設備情報処理装置１等の機能を実行させるオペレーティングシステム（ＯＳ）、またはサードパーティープログラム等は、必ずしも含まなくても良い。プログラムは、制御された態様で適切な機能（モジュール）を呼び出し、所望の結果が得られるようにする命令の部分のみを含んでいれば良い。コンピュータシステム３００がどのように動作するかは周知であり、詳細な説明は省略する。
【０２４２】
また、上記プログラムを実行するコンピュータは、単数であってもよく、複数であってもよい。すなわち、集中処理を行ってもよく、あるいは分散処理を行ってもよい。
【０２４３】
また、上記各実施の形態において、一の装置に存在する２以上の通信手段は、物理的に一の媒体で実現されても良いことは言うまでもない。
【０２４４】
また、上記各実施の形態において、各処理（各機能）は、単一の装置（システム）によって集中処理されることによって実現されてもよく、あるいは、複数の装置によって分散処理されることによって実現されてもよい。
【０２４５】
本発明は、以上の実施の形態に限定されることなく、種々の変更が可能であり、それらも本発明の範囲内に包含されるものであることは言うまでもない。
【産業上の利用可能性】
【０２４６】
以上のように、本発明にかかる設備情報処理装置は、設備工事の現場で、設備の情報が容易に取得できる、という効果を有し、設備情報処理装置等として有用である。
【符号の説明】
【０２４７】
１  設備情報処理装置
２  端末装置
３  設備情報データベース構築装置
１１  格納部
１２  受信部
１３、３３  処理部
１４  送信部
２１  端末格納部
２２  端末受付部
２３  端末処理部
２４  端末送信部
２５  端末受信部
２６  端末出力部
３２  受付部
３４  出力部
１１１  設備図面格納部
１１２  設備情報格納部
１２１  指示受信部
１２２  キーワード受信部
１２３  消耗品指示受信部
１３１  設備情報取得部
１３２  検索部
１３３  消耗品取得部
１３４  課金額算出部
１３５  課金処理部
１４１  設備図面送信部
１４２  設備情報送信部
１４３  領域関連情報送信部
１４４  設備特定情報送信部
１４５  消耗品情報送信部
３２１  設備図面出力指示受付部
３２２  設備領域指示受付部
３２３  設備情報入力受付部
３３１  設備識別子生成部
３３２  設備領域情報取得部
３３３  設備情報蓄積部
３３４  設備情報領域生成部
３４１  設備図面出力部
３４２  設備情報入力画面出力部
１１１１  設備図面格納手段
１１１２  設備ボタン格納手段
【図２】
2016110529.tif 000003
【図３】
2016110529.tif 000004
【図４】
2016110529.tif 000005
【図５】
2016110529.tif 000006
【図６】
2016110529.tif 000007
【図８】
2016110529.tif 000008
【図１４】
2016110529.tif 000009
【図１５】
2016110529.tif 000010
【図１９】
2016110529.tif 000011
【図２０】
2016110529.tif 000012
【図１】
2016110529.tif 000013
【図７】
2016110529.tif 000014
【図９】
2016110529.tif 000015
【図１０】
2016110529.tif 000016
【図１１】
2016110529.tif 000017
【図１２】
2016110529.tif 000018
【図１３】
2016110529.tif 000019
【図１６】
2016110529.tif 000020
【図１７】
2016110529.tif 000021
【図１８】
2016110529.tif 000022